【手続補正書】
【提出日】平成23年7月22日(2011.7.22)
【手続補正１】
【補正対象書類名】特許請求の範囲
【補正対象項目名】全文
【補正方法】変更
【補正の内容】
【特許請求の範囲】
【請求項１】
Ａ）エチレンとＣ3−Ｃ8α，β−エチレン性不飽和カルボン酸とのコポリマー、前記コポリマーのアイオノマー、ポリエステル、およびそれらのブレンドからなる群から選択されるポリマーを含む構造層と、
Ｂ）エチレンビニルアセテートコポリマー、エチレンアルキルアクリレートコポリマー、エチレンアルキルメタクリレートコポリマー、ポリエチレン、およびそれらのブレンドからなる群から選択されるポリマーを含むヒートシール層と、
Ｃ）少なくとも１つのエチレンビニルアルコールコポリマーを含むガスバリア層であって、前記エチレンビニルアルコールコポリマーが、ポリマー鎖中に存在する約２〜約８モル％の１，２グリコール構造単位を有し、前記構造層と前記ヒートシール層との間に配置されるガスバリア層と
を含む多層延伸熱収縮性フィルムであって、
前記フィルムが、少なくとも１分間８５℃の温度への前記フィルムの初期暴露時にその元のサイズよりも少なくとも２５％小さいサイズに収縮することができることを特徴とする、多層延伸熱収縮性フィルム。
【請求項２】
Ａ）エチレンとＣ3−Ｃ8α，β−エチレン性不飽和カルボン酸とのコポリマー、前記コポリマーのアイオノマー、ポリエステル、およびそれらのブレンドからなる群から選択されるポリマーを含む構造層と、
Ｂ）エチレンビニルアセテートコポリマー、エチレンアルキルアクリレートコポリマー、エチレンアルキルメタクリレートコポリマー、ポリエチレン、およびそれらのブレンドからなる群から選択されるポリマーを含むヒートシール層と、
Ｃ）少なくとも１つのエチレンビニルアルコールコポリマーを含むガスバリア層であって、前記構造層と前記ヒートシール層との間に配置されるガスバリア層と
を含む、延伸多層フィルムを含む収縮バッグであって、
前記フィルムが、少なくとも１分間８５℃の温度への前記フィルムの初期暴露時にその元のサイズよりも少なくとも２５％小さいサイズに収縮することができることを特徴とする、収縮バッグ。
【請求項３】
請求項１に記載の多層フィルムから形成された物品。
【手続補正２】
【補正対象書類名】明細書
【補正対象項目名】０１０６
【補正方法】変更
【補正の内容】
【０１０６】
表５
2010534576.tif 000001
次に、本発明の態様を示す。
1.  Ａ）エチレンとＣ3−Ｃ8α，β−エチレン性不飽和カルボン酸とのコポリマー、前記コポリマーのアイオノマー、ポリエステル、およびそれらのブレンドからなる群から選択されるポリマーを含む構造層と、
Ｂ）エチレンビニルアセテートコポリマー、エチレンアルキルアクリレートコポリマー、エチレンアルキルメタクリレートコポリマー、ポリエチレン、およびそれらのブレンドからなる群から選択されるポリマーを含むヒートシール層と、
Ｃ）少なくとも１つのエチレンビニルアルコールコポリマーを含むガスバリア層であって、前記エチレンビニルアルコールコポリマーが、ポリマー鎖中に存在する約２〜約８モル％の１，２グリコール構造単位を有し、前記構造層と前記ヒートシール層との間に配置されるガスバリア層と
を含む多層延伸熱収縮性フィルムであって、
前記フィルムが、少なくとも１分間８５℃の温度への前記フィルムの初期暴露時にその元のサイズよりも少なくとも２５％小さいサイズに収縮することができることを特徴とする、多層延伸熱収縮性フィルム。
2.  二軸延伸される、上記１に記載の多層熱収縮性フィルム。
3.  前記Ｃ3−Ｃ8α，β−エチレン性不飽和カルボン酸がアクリル酸またはメタクリル酸である、上記１に記載の多層熱収縮性フィルム。
4.  エチレンとＣ3−Ｃ8α，β−エチレン性不飽和カルボン酸との前記コポリマーが、少なくとも１つの他のコモノマーの共重合単位をさらに含む、上記１に記載の多層熱収縮性フィルム。
5.  前記構造層が、エチレンとＣ3−Ｃ8α，β−エチレン性不飽和カルボン酸とのコポリマーのアイオノマーを含む、上記１に記載の多層熱収縮性フィルム。
6.  前記構造層がポリエステルを含む、上記１に記載の多層熱収縮性フィルム。
7.  前記構造層がアイオノマーを含む、上記１に記載の多層熱収縮性フィルム。
8.  前記ヒートシール層がエチレンビニルアセテートコポリマーを含む、上記１に記載の多層熱収縮性フィルム。
9.  前記ヒートシール層が、エチレンアルキルアクリレートコポリマーおよびエチレンアルキルメタクリレートコポリマーからなる群から選択されるコポリマーを含む、上記１に記載の多層熱収縮性フィルム。
10.  前記ヒートシール層がポリエチレンを含む、上記１に記載の多層熱収縮性フィルム。
11.  １）ａ）無水物改質ポリマー、ｂ）エチレンと、Ｃ4−Ｃ8不飽和無水物、少なくとも２個のカルボン酸基を有するＣ4−Ｃ8不飽和酸のモノエステル、少なくとも２個のカルボン酸基を有するＣ4−Ｃ8不飽和酸のジエステルからなる群から選択されるコモノマーとの共重合単位を含むコポリマーおよびｃ）それらの混合物からなる群から選択される少なくとも１つの官能化ポリマー成分と、
２）エチレンと、ビニルアセテート、アルキルアクリレート、アルキルメタクリレートおよびそれらの混合物（前記アルキル基が１〜１０個の炭素原子を有する）からなる群から選択されるコモノマーとの共重合単位を含む、前記官能化ポリマー成分と化学的に異なるエチレンコポリマーと、場合により、
３）粘着付与剤樹脂と
を含む、接着剤層をさらに含む上記１に記載の多層熱収縮性フィルム。
12.  二軸延伸される、上記１１に記載の多層熱収縮性フィルム。
13.  付加的な層を含む、上記１に記載の多層熱収縮性フィルム。
14.  前記付加的な層の少なくとも１つがタイ層である、上記１１に記載の多層熱収縮性フィルム。
15.  チューブの形態の上記１に記載の多層熱収縮性フィルム。
16.  前記構造層が前記ガスバリア層に隣接および接触している、上記１に記載の多層熱収縮性フィルム。
17.  前記ヒートシール層が前記ガスバリア層に隣接および接触している、上記１に記載の多層熱収縮性フィルム。
18.  Ａ）エチレンとＣ3−Ｃ8α，β−エチレン性不飽和カルボン酸とのコポリマー、前記コポリマーのアイオノマー、ポリエステル、およびそれらのブレンドからなる群から選択されるポリマーを含む構造層と、
Ｂ）エチレンビニルアセテートコポリマー、エチレンアルキルアクリレートコポリマー、エチレンアルキルメタクリレートコポリマー、ポリエチレン、およびそれらのブレンドからなる群から選択されるポリマーを含むヒートシール層と、
Ｃ）少なくとも１つのエチレンビニルアルコールコポリマーを含むガスバリア層であって、前記構造層と前記ヒートシール層との間に配置されるガスバリア層と
を含む、延伸多層フィルムを含む収縮バッグであって、
前記フィルムが、少なくとも１分間８５℃の温度への前記フィルムの初期暴露時にその元のサイズよりも少なくとも２５％小さいサイズに収縮することができることを特徴とする、収縮バッグ。
19.  前記構造層がエチレンとＣ3−Ｃ8α，β−エチレン性不飽和カルボン酸とのコポリマーを含み、前記酸がアクリル酸またはメタクリル酸である、上記１８に記載の収縮バッグ。
20.  前記構造層がエチレンとＣ3−Ｃ8α，β−エチレン性不飽和カルボン酸とのコポリマーのアイオノマーを含む、上記１８に記載の収縮バッグ。
21.  前記構造層がポリエステルを含む、上記１８に記載の収縮バッグ。
22.  １）ａ）無水物改質ポリマー、ｂ）エチレンと、Ｃ4−Ｃ8不飽和無水物、少なくとも２個のカルボン酸基を有するＣ4−Ｃ8不飽和酸のモノエステル、少なくとも２個のカルボン酸基を有するＣ4−Ｃ8不飽和酸のジエステルからなる群から選択されるコモノマーとの共重合単位を含むコポリマーおよびｃ）それらの混合物からなる群から選択される少なくとも１つの官能化ポリマー成分と、
２）エチレンと、ビニルアセテート、アルキルアクリレート、アルキルメタクリレートおよびそれらの混合物（前記アルキル基が１〜１０個の炭素原子を有する）からなる群から選択されるコモノマーとの共重合単位を含む、前記官能化ポリマー成分と化学的に異なるエチレンコポリマーと、場合により
３）粘着付与剤樹脂と
を含む、接着剤層をさらに含む上記１８に記載の収縮バッグ。
23.  前記エチレンビニルアルコールポリマーが、ポリマー鎖中に存在する約２〜約８モル％の１，２グリコール構造単位を有する、上記１８に記載の収縮バッグ。
24.  前記多層フィルムが付加的な層を含む、上記１８に記載の収縮バッグ。
25.  前記多層フィルムが二軸延伸フィルムである、上記１８に記載の収縮バッグ。
26.  上記１に記載の多層フィルムから形成された物品。